(57)【要約】【課題】  簡素な構成でクロストークの発生を防止することができる電気光学装置、電気光学装置の駆動方法及び電子機器を提供する。【解決手段】  複数の走査線Ｙ１〜Ｙｎと、複数のデータ線Ｘ１〜Ｘｍと、前記複数の走査線Ｙ１〜Ｙｎと前記複数のデータ線Ｘ１〜Ｘｍとの交差に対応して設けられた複数の画素２０と、前記走査線Ｙ１〜Ｙｎに対して順次選択電圧±Ｖｓを印加する走査線駆動回路１２と、前記データ線Ｘ１〜Ｘｍに対してデータ信号ＶＤ１〜ＶＤｍを印加するデータ線駆動回路１３とを具備する液晶装置において、前記走査線駆動回路１２が出力する前記選択電圧±Ｖｓの絶対値を、該選択電圧±Ｖｓの印加期間のうちの所定の第２の期間で変化させる。【選択図】    図２
2005084509.tif 000002
【特許請求の範囲】
【請求項１】
電気光学装置において、
複数の走査線と、
複数のデータ線と、
前記複数の走査線と前記複数のデータ線との交差に対応して設けられた複数の画素と、
前記走査線に対して順次、選択電圧を印加する走査線駆動回路と、
前記データ線に対してデータ信号を印加するデータ線駆動回路と
を具備し、
前記走査線駆動回路は、前記データ信号が印加されてから所定の第１の期間が経過した後に前記選択電圧を印加し、
前記選択電圧が印加された時から所定の第２の期間内で前記選択電圧の絶対値が前記所定の第２の期間以外の前記選択電圧に対して異なることを特徴とする電気光学装置。
【請求項２】
請求項１に記載の電気光学装置において、
前記第１の期間は、いずれの前記走査線にも前記選択電圧を印加しないようにすることを特徴とする電気光学装置。
【請求項３】
請求項１または２に記載の電気光学装置において、
前記複数の画素の各々は、
前記複数の走査線及び前記複数のデータ線のいずれか一方にその一端が接続された二端子型スイッチング素子と、
前記複数の走査線及び前記複数のデータ線のいずれか他方と前記二端子型スイッチング素子の他端に接続された画素電極との間に電気光学物質が狭持された容量と
を備えていることを特徴とする電気光学装置。
【請求項４】
電気光学装置の駆動方法において、
走査線駆動回路から前記走査線に対して順次、選択電圧を印加し、
データ線駆動回路から前記データ線に対してデータ信号を印加し、
前記データ信号が印加されてから所定の第１の期間が経過した後に前記選択電圧を印加し、
前記選択電圧が印加された時から所定の第２の期間内で前記選択電圧の絶対値を前記所定の第２の期間以外の前記選択電圧に対して異ならせることを特徴とする電気光学装置の駆動方法。
【請求項５】
請求項４に記載の電気光学装置の駆動方法において、
前記第１の期間は、いずれの前記走査線にも前記選択電圧を印加しないようにすることを特徴とする電気光学装置の駆動方法。
【請求項６】
請求項１乃至３のいずれか一つに記載の電気光学装置を具備してなることを特徴とする電子機器。
【発明の詳細な説明】
【技術分野】
【０００１】
本発明は、電気光学装置、電気光学装置の駆動方法及び電子機器に関するものである。
【背景技術】
【０００２】
従来、液晶素子、有機エレクトロ・ルミネッセンス素子、電気泳動素子、電子放出素子といった電気光学素子を利用して、画像を表示することの可能な電気光学装置を備えた各種の電子機器が利用されつつある。これによれば、従来の冷陰極管（ＣＲＴ）を用いたテレビ等では達成し得なかった、薄型化、小型化、低消費電力化等といった数多くの特徴を享受することができる。
【０００３】
このような電気光学装置の駆動方法の一つに、各画素にスイッチング素子を備え、該スイッチング素子のオン・オフにより画素を駆動するアクティブ・マトリクス方式の電気光学装置がある。この種のアクティブ・マトリクス方式の電気光学装置には、そのスイッチング素子として薄膜ダイオードといった二端子型スイッチング素子を用いるものがある。
【０００４】
薄膜ダイオードを用いた電気光学装置は、その一の方向に沿って延在する複数の信号線と、該複数の信号線に交差する他の方向に沿って延在する複数の走査線と、前記各信号線及び前記各走査線間に狭持された液晶素子等の電気光学物質（以下、「液晶」に代表させる。）とを備えている。そして、前記各信号線及び前記各走査線の間に前記薄膜ダイオードが形成されている（例えば、特許文献１参照）。
【０００５】
しかしながら、この薄膜ダイオードを用いた電気光学装置においては、次のような問題点があった。すなわち、前記電気光学装置では、走査線を選択駆動する走査線駆動回路の出力抵抗、該走査線駆動回路と走査線とを結線する引出配線の抵抗及び走査線の配線抵抗が同一線上に乗るとともに、前記液晶素子がその各引出配線及び走査線に並列的に加わる。この結果、前記電気光学装置では、前記各引出配線及び走査線と前記液晶素子とで、所謂、微分回路が形成される。
【０００６】
この結果、前記データ線上の電圧（データ電圧）が変化すると、その変化分が薄膜ダイオードを介して走査線上の電圧（走査信号）にノイズ電圧して重畳される。そして、前記ノイズ電圧が走査線に重畳されることで、前記走査線駆動回路から出力される選択電圧の波形が変化してしまう。また、前記薄膜ダイオードにもノイズ電圧の影響が及び、その結果、画面上にクロストークが発生する。このことから、視認性が損なわれ、その分、表示品位が劣化してしまう。
【０００７】
そこで、これを改善する方法として、表示される画像の表示データ（諧調データ）に基づいて駆動波形を補正することで、前記クロストークを解消させようとするが提案されているものである（例えば、特許文献２）。
【特許文献１】特開平１１−１３３３７７号公報
【特許文献２】特開平８−１６０３９２号公報
【発明の開示】
【発明が解決しようとする課題】
【０００８】
しかしながら、上記特許文献２は、前記表示される表示データ（諧調データ）に基づいて駆動波形を補正するための回路を形成する必要があるが、この回路は複雑なものとなっていた。
本発明は、上記問題点に鑑みてなされたものであり、その目的は簡素な構成でクロスト
ークの発生を防止することができる電気光学装置、電気光学装置の駆動方法及び電子機器を提供することにある。
【課題を解決するための手段】
【０００９】
本発明の電気光学装置は、電気光学装置において、複数の走査線と、複数のデータ線と、前記複数の走査線と前記複数のデータ線との交差に対応して設けられた複数の画素と、前記走査線に対して順次、選択電圧を印加する走査線駆動回路と、前記データ線に対してデータ信号を印加するデータ線駆動回路とを具備し、前記走査線駆動回路は、前記データ信号が印加されてから所定の第１の期間が経過した後に前記選択電圧を印加し、前記選択電圧が印加された時から所定の第２の期間内で前記選択電圧の絶対値が前記所定の第２の期間以外の前記選択電圧に対して異なる。
【００１０】
これによれば、例えば、データ信号を印加した後に走査線駆動回路が選択電圧をずらして印加するので、データ信号とともにノイズ電圧が画素に書き込まれることはない。従って、画素を前記ノイズ電圧の影響を受けることなく制御することができる。この結果、前記ノイズ電圧によるクロストークの発生を抑制することができるので、その分、高品質な画像を表示することが可能となる。また、データ信号を印加した後に走査線駆動回路が選択電圧をずらして印加するだけなので、そのための回路構成の変更や新たな回路を加える必要はない。その結果、簡単な構成でノイズ電圧によるクロストークの発生を抑制することができる。
【００１１】
さらに、選択電圧が印加された時から所定の第２の期間内に前記選択電圧の絶対値を、例えば、大きくすることで、各画素へのデータ信号の電圧を充電を早く行わせることができる。この結果、たとえ選択電圧が印加されている期間が短くても画素へのデータ信号の電圧の充電を十分に行わせることができる。
【００１２】
この電気光学装置において、前記第１の期間は、いずれの前記走査線にも前記選択電圧を印加しないようにしてもよい。
これによれば、例えば各画素に選択電圧のタイミングによってデータ信号を書き込ませるためのスイッチ素子が具備されている、所謂、アクティブ・マトリクス方式の電気光学装置において、他の走査線に乗る前記ノイズ電圧と選択電圧とが重畳されることで前記スイッチ素子がオンになるを回避することが可能となる。この結果、各画素は選択電圧のタイミングでデータ信号に応じた電圧を書き込むことができるので、前記ノイズ電圧によるクロストークの発生のない高品質な画像を表示することが可能となる。
【００１３】
この電気光学装置において、前記複数の画素の各々は、前記複数の走査線及び前記複数のデータ線のいずれか一方にその一端が接続された二端子型スイッチング素子と、前記複数の走査線及び前記複数のデータ線のいずれか他方と前記二端子型スイッチング素子の他端に接続された画素電極との間に電気光学物質が狭持された容量とを備えていてもよい。
【００１４】
これによれば、前記複数の走査線及び前記複数のデータ線のいずれか一方にその一端が接続された二端子型スイッチング素子と、前記複数の走査線及び前記複数のデータ線のいずれか他方と前記二端子型スイッチング素子の他端に接続された画素電極との間に電気光学物質が狭持された容量とを備えた画素を具備した電気光学装置において、クロストークの発生のない高品質な画像を表示することが可能となる。また、この態様のように、二端子型スイッチング素子を用いることによって、三端子型スイッチング素子を用いた構成と比較して、配線間の短絡不良が原理的に発生しない点や、製造プロセスが簡略化される点において有利となる。
【００１５】
本発明の電気光学装置の駆動方法は、電気光学装置の駆動方法において、走査線駆動回
路から前記走査線に対して順次、選択電圧を印加し、データ線駆動回路から前記データ線に対してデータ信号を印加し、前記データ信号が印加されてから所定の第１の期間が経過した後に前記選択電圧を印加し、前記選択電圧が印加された時から所定の第２の期間内で前記選択電圧の絶対値を前記所定の第２の期間以外の前記選択電圧に対して異ならせる。
【００１６】
これによれば、例えば、データ信号を印加した後に走査線駆動回路が選択電圧をずらして印加することで、データ信号とともにノイズ電圧が画素に書き込まれることはない。従って、画素を前記ノイズ電圧の影響を受けることなく制御することができる。つまり、前記ノイズ電圧によるクロストークの発生を抑制することができるので、その分、高品質な画像を表示することが可能となる。また、選択電圧が印加された時から所定の第２の期間内に前記選択電圧の絶対値を、例えば、大きくすることで、各画素へのデータ信号の電圧を充電を早く行わせることができる。この結果、たとえ選択電圧が印加されている期間が短くても画素へのデータ信号の電圧を充電を十分に行うことができる。
【００１７】
この電気光学装置の駆動方法において、前記第１の期間は、いずれの前記走査線にも前記選択電圧を印加しないようにしてもよい。
これによれば、例えば各画素に選択電圧のタイミングによってデータ信号を書き込ませるためのスイッチ素子が具備されている、所謂、アクティブ・マトリクス方式の電気光学装置において、他の走査線に乗る前記ノイズ電圧と選択電圧とが重畳されることで前記スイッチ素子がオンになるを回避することが可能となる。従って、各画素は選択電圧のタイミングでデータ信号に応じた電圧を書き込むことができるので、前記ノイズ電圧によるクロストークの発生のない高品質な画像を表示することが可能となる。
【００１８】
本発明の電子機器は、上記電気光学装置を具備してなる。
本発明の電子機器によれば、上記電気光学装置を具備してなるから、クロストークの発生のない高品質な画像を表示することの可能な、例えば、投射型表示装置、液晶テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【発明を実施するための最良の形態】
【００１９】
以下、本発明を液晶装置に適用した各実施形態を図面に従って説明する。
（第１実施形態）
以下、本発明を具体化した第１実施形態を図１〜図７に従って説明する。図１は、液晶装置の電気的構成を示すブロック回路図である。図２は、表示パネル部の回路構成を示すブロック回路図である。図３は、画素の回路図である。
【００２０】
液晶装置１０は、図１に示すように、表示パネル部１１、走査線駆動回路１２、データ線駆動回路１３、制御回路１４及び駆動電圧形成回路１５を備えている。
液晶装置１０の走査線駆動回路１２、データ線駆動回路１３、制御回路１４及び駆動電圧形成回路１５は、それぞれが独立した電子部品によって構成されていてもよい。例えば、走査線駆動回路１２、データ線駆動回路１３、制御回路１４及び駆動電圧形成回路１５が、各々１チップの半導体集積回路装置によって構成されていてもよい。又、走査線駆動回路１２、データ線駆動回路１３、制御回路１４及び駆動電圧形成回路１５の全部若しくは一部がプログラマブルなＩＣチップで構成され、その機能がＩＣチップに書き込まれたプログラムによりソフトウェア的に実現されてもよい。
【００２１】
表示パネル部１１は、図２に示すように、列方向に延在して形成されるｍ本のデータ線Ｘ１，Ｘ２，…，Ｘｍ（ｍは自然数）を設けている。また、表示パネル部１１は、行方向に延在して形成されるｎ本の走査線Ｙ１，Ｙ２，…，Ｙｎ（ｎは自然数）を備えている。
【００２２】
また、表示パネル部１１は、前記各走査線Ｙ１〜Ｙｎと前記各データ線Ｘ１〜Ｘｍとの交差に対応した位置に矩形状の画素２０を設けている。各画素２０は、対応する走査線Ｙ１〜Ｙｎ及びデータ線Ｘ１〜Ｘｍに接続されている。そして、各画素２０は、対応する走査線Ｙ１〜Ｙｎを介して走査線駆動回路１２に接続されている。
【００２３】
詳しくは、前記走査線Ｙ１〜Ｙｎはそれぞれ対応する引出配線Ｚ１，Ｚ２，…，Ｚｎによって走査線駆動回路１２と結線されている。つまり、各画素２０は、それぞれ対応する走査線Ｙ１〜Ｙｎ及び引出配線Ｚ１〜Ｚｎを介して走査線駆動回路１２に電気的に接続されている。
【００２４】
また、各画素２０は、対応するデータ線Ｘ１〜Ｘｍを介してデータ線駆動回路１３に接続されている。
図３は、本実施形態におけるｎ番目の走査線Ｙｎとｍ番目のデータ線Ｘｍとの交差に対応して設けられた画素２０の等価回路図である。尚、この画素２０の電気的構成は他の走査線とデータ線との交差に対応する位置に設けられた画素と同じである。従って、説明の便宜上、ｎ番目の走査線Ｙｎとｍ番目のデータ線Ｘｍとの交差に対応する位置に設けられた画素についてのみ以下に説明し、他の走査線とデータ線との交差に対応する位置に設けられた画素についてはその説明を省略する。
【００２５】
画素２０は、本実施形態においては、スイッチ素子として機能する薄膜ダイオードＴＦＤ（Ｔｈｉｎ  Ｆｉｌｍ  Ｄｉｏｄｅ）と液晶素子ＬＣＤとを備えている。つまり、液晶装置１０は、アクティブ・マトリクス方式の電気光学装置である。
【００２６】
薄膜ダイオードＴＦＤは、その第１の導電体２１ａがｍ番目のデータ線Ｘｍに接続されている。第１の導電体２１ａは、タンタル単体やタンタル合金などで構成されている。また、薄膜ダイオードＴＦＤは、その第１の導電体２１ａを酸化させて形成した絶縁体２１ｃを介して同第１の導電体２１ａに対向した位置に形成された第２の導電体２１ｂを備えている。この第２の導電体２１ｂは、本実施形態においては、クロムで構成されている。このように薄膜ダイオードＴＦＤは、導電体、絶縁体及び導電体が互いに積層された構造を成す。このことから、薄膜ダイオードＴＦＤは、その電流・電圧特性が正負双方向にわたって非線形となる、所謂、ダイオードスイッチング特性を有することになる。
【００２７】
また、前記薄膜ダイオードＴＦＤの第２の導電体２１ｂは、液晶素子ＬＣＤの画素電極２２ａに接続されている。画素電極２２ａは、例えば、ＩＴＯ（Ｉｎｄｉｕｍ  Ｔｉｎ  Ｏｘｉｄｅ）等の透明導電性材料からなる矩形状の電極である。
【００２８】
前記画素電極２２ａと対向する位置に形成された電極２２ｂは、ｎ番目の走査線Ｙｎに接続されている。そして、前記画素電極２２ａと前記電極２２ｂとの間には電気光学物質の一例たる液晶２２ｃが狭持されている。そして、前記画素電極２２ａ、前記電極２２ｂ及び液晶２２ｃで液晶素子ＬＣＤを構成している。
【００２９】
走査線駆動回路１２は、走査信号ＳＣ１，ＳＣ２，…，ＳＣｎを作成する。走査線駆動回路１２は、引出配線Ｚ１〜Ｚｎを介してｎ本の走査線Ｙ１〜ＹｎをＹ１→Ｙ２→Ｙｉ→Ｙｉ＋１→…→Ｙｎ→Ｙ１の順序で順次選択駆動する。そして、走査線駆動回路１２は、選択駆動された１本の走査線にその一水平走査期間（１Ｈ）、走査信号ＳＣ１〜ＳＣｎとして初期選択電圧＋ＶＨ、選択電圧±Ｖｓ及び非選択電圧＋Ｖｄ／２を印加する。
【００３０】
図４は、本実施形態に係る走査線駆動回路１２から出力されるｉ番目の走査線Ｙｉに出力される走査信号ＳＣｉ及び該走査線Ｙｉの次段の走査線Ｙｉ＋１に出力される走査信号
ＳＣｉ＋１のタイミングチャートである。
【００３１】
詳しくは、走査線駆動回路１２は、ｎ本の走査線Ｙ１〜Ｙｎのうちの１本の走査線にその一水平走査期間（１Ｈ）に、いずれの走査線Ｙ１〜Ｙｎにも電圧を印加しない期間（第１の期間ＩＮＴ１）を経た後に、走査信号ＳＣ１〜ＳＣｎとして初期選択電圧＋ＶＨを印加する。続いて、走査線駆動回路１２は、選択電圧＋Ｖｓを印加する。その後、非選択期間（保持期間）に非選択電圧＋Ｖｄ／２を供給する。そして、本実施形態においては、初期選択電圧＋ＶＨの絶対値は、前記第２の期間ＩＮＴ２以外に印加される電圧より大きくなるように設定されている。また、選択電圧＋Ｖｓが印加されている期間は１Ｈの半分の期間（１／２Ｈ）でもよい。
【００３２】
次段の走査線には、前記と同様に、電圧を印加しない期間（第１の期間ＩＮＴ１）を経た後に、走査信号ＳＣ１〜ＳＣｎとして初期選択電圧−ＶＨを印加する。続いて、走査線駆動回路１２は、選択電圧−Ｖｓを印加する。その後、非選択期間（保持期間）に非選択電圧−Ｖｄ／２を供給する。そして、本実施形態においては、初期選択電圧−ＶＨの絶対値は、前記第２の期間ＩＮＴ２以外に印加される電圧より大きくなるように設定されている。つまり、本実施形態においては、ある走査線への走査信号として初期選択電圧＋ＶＨ及び選択電圧＋Ｖｓを供給すると、その次の行に位置する走査線への走査信号として初期選択電圧−ＶＨ及び選択電圧−Ｖｓを供給する、というように一水平走査期間（１Ｈ）毎に選択電圧Ｖｓの極性が反転される動作が行われる。
【００３３】
データ線駆動回路１３は、前記データ線Ｘ１〜Ｘｍが接続され、前記走査線駆動回路１２が所定の走査線を選択または非選択する所定のタイミングでデータ電圧±Ｖｄを出力する。このデータ電圧±Ｖｄは、後記する階調データＤに基づいた電圧信号である。そして、選択電圧＋Ｖｓが出力されている場合、画素２０を黒色表示とするときにはデータ線駆動回路１３は、電圧−Ｖｄ／２の電圧レベルを有するデータ信号ＶＤ１〜ＶＤｍを、画素２０を白色表示とするときには電圧＋Ｖｄ／２の電圧レベルを有するデータ信号ＶＤ１〜ＶＤｍを出力する。
【００３４】
尚、選択電圧−Ｖｓが出力されている場合、データ線駆動回路１３は、画素２０を黒色表示とするときには電圧＋Ｖｄ／２の電圧レベルを有するデータ信号ＶＤ１〜ＶＤｍを、画素２０を白色表示とするときには電圧−Ｖｄ／２の電圧レベルを有するデータ信号ＶＤ１〜ＶＤｍを出力する。
【００３５】
制御回路１４は、階調データＤ、図示しない各種制御信号ＳＹ，ＳＸ及びクロック信号などを供給して、前記走査線駆動回路１２及び前記データ線駆動回路１３をそれぞれ制御する。
【００３６】
駆動電圧形成回路１５は、各種電圧＋ＶＨ、−ＶＨ、＋Ｖｓ、−Ｖｓ、＋Ｖｄ／２及び−Ｖｄ／２を生成する。そして、その生成した各種電圧＋ＶＨ、−ＶＨ、＋Ｖｓ、−Ｖｓ、＋Ｖｄ／２及び−Ｖｄ／２を前記走査線駆動回路１２に供給するとともに、前記各種電圧＋ＶＨ、−ＶＨ、＋Ｖｓ、−Ｖｓ、＋Ｖｄ／２及び−Ｖｄ／２のうち電圧＋Ｖｄ／２及び−Ｖｄ／２を前記データ線駆動回路１３に供給する。
【００３７】
ここで、本実施形態においては、走査線Ｙ１〜Ｙｎやデータ線Ｘ１〜Ｘｍに出力される電圧の極性基準は、データ線Ｘ１〜Ｘｍに出力されるデータ電圧±Ｖｄの中間電圧±Ｖｄ／２（仮想電圧）であり、これよりも高電位側を正極とし、低電位側を負極としている。
【００３８】
上記のような構成において、走査線駆動回路１２が前記引出配線Ｚ１〜Ｚｎを介して所定の走査線Ｙ１〜Ｙｎに、その薄膜ダイオードＴＦＤがオンする選択電圧±Ｖｓを出力す
ると、その選択された走査線に対応する画素２０の薄膜ダイオードＴＦＤがオンする。そして、そのオンした薄膜ダイオードＴＦＤに接続された前記液晶素子ＬＣＤに、前記選択電圧±Ｖｓとその選択された走査線に対応する画素２０に接続されたデータ線に供給されるデータ電圧との電位差に応じた電荷が蓄積される。そして、電荷蓄積後、その走査線に非選択電圧±Ｖｄ／２を出力する。すると、当該薄膜ダイオードＴＦＤをオフさせても、液晶素子ＬＣＤには前記電荷の蓄積が維持される。
【００３９】
そして、液晶素子ＬＣＤに蓄積される電荷量に応じて、液晶素子ＬＣＤの光透過率が変化する。従って、選択電圧±Ｖｓが印加されたときのデータ電圧±Ｖｄによって、液晶素子ＬＣＤにおける電荷の蓄積量を画素２０毎に制御することで、前記階調データに応じた所望の階調表示が可能となる。
【００４０】
尚、白と黒との間の中間調の表示を行うためには、データ電圧±Ｖｄの供給時間を調整することによって行われる。例えば、白色及び黒色をその両極端として含む８階調表示を行う場合、走査線Ｙ１〜Ｙｎに選択電圧±Ｖｓが供給される期間内を７分割した時間幅を想定し、その時間幅の２つ以上６つ以下の期間に対してデータ電圧＋Ｖｄ又は−Ｖｄを供給する。このように、データ信号ＶＤ１〜ＶＤｍが供給される時間に応じて、液晶素子ＬＣＤにかかる実効電圧値が段階的に変化するため、その光透過率も段階的に変化することになり、中間調の表示が可能となるのである。
【００４１】
そして、前記したように、走査線駆動回路１２が引出配線Ｚ１〜Ｚｎを介して走査線Ｙ１〜Ｙｎの一本一本を、Ｙ１→Ｙ２→Ｙ３…→Ｙｎ→Ｙ１の順序で「選択」することでその表示パネル部１１上に表示データに応じた所望の画像を表示することができる。
【００４２】
次に、上記のように構成された液晶装置１０の駆動方法の詳細を図５〜図７に従って説明する。図５は、本発明に係る液晶装置１０の駆動方法を四値駆動法に適用した一例を示す走査信号ＳＣｊ及び走査信号ＳＣｊが供給される走査線に対応した位置に配置される画素２０に接続されたデータ線Ｘｉのデータ信号ＶＤｉの波形である。図６は、ｉ番目のデータ線Ｘｉに供給されるデータ信号ＶＤｉ及びデータ信号ＶＤｉのデータ電圧ＶｄがＬレベルからＨレベルへの立ち上がる時に対応するｊ番目の走査線Ｙｊに加わるノイズ電圧Ｙ＊ｊである。
【００４３】
図５に示すように、データ線Ｘｉにデータ信号ＶＤｉとしてデータ電圧＋Ｖｄが印加される時、前記走査線駆動回路１２は、その選択すべき走査線Ｙｊに対して電圧を印加しない。そして、前記データ電圧＋Ｖｄの印加時点より予め設定された第１の期間ＩＮＴ１だけ遅れて通常の選択電圧＋Ｖｓよりも大きい電圧レベルを有する初期選択電圧＋ＶＨを所定の第２の期間ＩＮＴ２だけ走査線Ｙｉへ印加する。続いて、走査線駆動回路１２はその第２の期間ＩＮＴ２の経過後、選択電圧＋Ｖｓを印加する。つまり、走査線駆動回路１２は、その選択期間Ｈ１内に電圧を印加しない第１の期間ＩＮＴ１と、初期選択電圧＋ＶＨを印加する第２の期間ＩＮＴ２と、選択電圧＋Ｖｓを印加する期間とを設けている。ここで、第１の期間ＩＮＴ１は、白色信号（又は黒色信号）の供給時点を基準として設定されている。
【００４４】
また、負の選択電圧−Ｖｓを供給する際には、所定の第２の期間ＩＮＴ２に選択電圧−Ｖｓよりも小さい電圧レベルを有する初期選択電圧−ＶＨを印加する。
このように、前記データ線Ｘ１〜Ｘｍ上に印加されるデータ電圧＋Ｖｄの立ち上がりは前記第１の期間ＩＮＴ１内なので図５中の鎖線で示すようなスパイク状のノイズ電圧Ｙ＊ｊが選択電圧＋Ｖｓに乗るのを回避することが可能となる。即ち、前記液晶装置１０には、各引出配線Ｚ１〜Ｚｎ及び走査線Ｙ１〜Ｙｎと前記液晶素子ＬＣＤとで構成される、所謂、微分回路が等価的に形成される。従って、従来の液晶装置のように、走査線駆動回路
から選択電圧＋Ｖｓが出力されると同時にデータ線Ｘ１〜Ｘｍにデータ電圧ＶｄがＬレベルからＨレベルへの立ち上がるようにすると、図６に示すような該データ電圧Ｖｄの変化分であるノイズ電圧Ｙ＊ｊが走査線Ｙ１〜Ｙｎ上に重畳されることになる。
【００４５】
しかしながら、図５に示したように、本発明においては、その選択期間Ｈ１内において、データ電圧ＶｄのＬレベルからＨレベルへの立ち上がる時、その最大ピークが生じるノイズ電圧Ｙ＊ｊは、前記第１の期間ＩＮＴ１内で走査線Ｙ１〜Ｙｎに重畳されることになる。従って、正味の選択電圧＋Ｖｓが印加されている期間、つまり、第２の期間ＩＮＴ２以降には、その重畳された前記ノイズ電圧Ｙ＊ｊは生じない。この結果、ノイズ電圧Ｙ＊ｊが選択電圧±Ｖｓに重畳されることで選択電圧±Ｖｓの波形が変化するのを回避することが可能となる。
【００４６】
また、この第１の期間ＩＮＴ１においては、いずれの走査線Ｙ１〜Ｙｎにも選択電圧±Ｖｓが印加されていないので、他の走査線に乗る前記ノイズ電圧Ｙ＊ｊと選択電圧±Ｖｓとが互いに重畳されることで前記薄膜ダイオードＴＦＤがオンになるを回避することが可能となる。この結果、各画素２０はデータ信号ＶＤ１〜ＶＤｍに応じて駆動制御されるので、前記ノイズ電圧Ｙ＊ｊによるクロストークの発生の発生を抑制することができる。
【００４７】
さらに、前記薄膜ダイオードＴＦＤに対しても前記ノイズ電圧Ｙ＊ｊの影響が及ばない。その結果、前記ノイズ電圧Ｙ＊ｊによるクロストークの発生を抑制することができる。従って、液晶装置１０は、クロストークの発生のない高品質な画像を表示することが可能となる。
【００４８】
図７（ａ）は、前記第２の期間ＩＮＴ２を設けない場合の画素２０の液晶素子ＬＣＤへの印加電圧波形を模式的に示したものである。図７（ｂ）は、第２の期間ＩＮＴ２を設け、該第２の期間ＩＮＴ２内に選択電圧±Ｖｓよりも高い初期選択電圧＋ＶＨを印加した場合の画素２０の液晶素子ＬＣＤへの印加電圧波形を模式的に示したものである。
【００４９】
図７（ａ），（ｂ）におけるＶＤＲは画素２０の駆動電圧波形であり、ＶＬＣＤは液晶印加電圧を示している。この図７（ａ），（ｂ）では、薄膜ダイオードＴＦＤへの供給電圧は、前記駆動電圧ＶＤＲと前記液晶印加電圧ＶＬＣＤとの差で表される。
【００５０】
図７（ａ）に示すように、薄膜ダイオードＴＦＤに印加される電圧が高い部分（ＶＴＦＤ１）が２ヶ所あることがわかる。すなわち、選択電圧＋Ｖｓの立ち上がり直後の部分と、書き込み選択電圧の立ち上がり直後の部分である。定性的には、薄膜ダイオードＴＦＤに印加される電圧が高い時には、該薄膜ダイオードＴＦＤはオンなので、ノイズ電圧Ｙ＊ｊは液晶素子ＬＣＤの書き込み量に影響を及ぼす。薄膜ダイオードＴＦＤに印加される電圧が低い時には、該薄膜ダイオードＴＦＤはオフなので、ノイズ電圧Ｙ＊ｊは液晶素子ＬＣＤの書き込み量に影響しない。ここで、図７（ａ）中のＶＴＦＤ２は、液晶印加電圧ＶＬＣＤがほぼ一定になったときに薄膜ダイオードＴＦＤに印加される電圧である。
【００５１】
また、薄膜ダイオードＴＦＤに印加される電圧ＶＴＦＤ１とＶＴＦＤ２とを比べてわかるように、液晶素子ＬＣＤへの充電開始直後である電圧ＶＴＦＤ１が印加されている期間は、急速に液晶素子ＬＣＤに充電されている期間であり、ノイズ電圧Ｙ＊ｊの影響が液晶への書き込み量に大きく影響を及ぼしてしまう。これに対して、電圧ＶＴＦＤ２が印加されている期間は、液晶素子ＬＣＤへの充電もほぼ完了しており、ノイズ電圧Ｙ＊ｊの影響が液晶素子ＬＣＤへの書き込み量にそれほど影響を及ぼさない。
【００５２】
そこで、前記したように、初期選択電圧＋ＶＨの絶対値は、前記第２の期間ＩＮＴ２以外に印加される電圧より大きくなるように設定されている。つまり、本発明では、第２の
期間ＩＮＴ２を設け、該第２の期間ＩＮＴ２内に選択電圧±Ｖｓよりも高い初期選択電圧＋ＶＨを印加する。図７（ｂ）において、図７（ａ）と同様に、ＶＤＲは画素２０の駆動波形であり、ＶＬＣＤは液晶印加電圧を示している。ここで図７（ａ）と異なるのは、選択電圧＋Ｖｓの印加直後に該選択電圧＋Ｖｓより高い電圧レベルを有する初期選択電圧＋ＶＨを印加することで、液晶印加電圧ＶＬＣＤを急速に充電させている点である。
【００５３】
これにより、薄膜ダイオードＴＦＤに印加されている電圧は、通常駆動より早く電圧ＶＴＦＤ２に近づくことができる。これにより、この期間においては、ノイズ電圧Ｙ＊ｊの影響が液晶素子ＬＣＤへの書き込み量に影響を及ぼさない。つまり、第２の期間ＩＮＴ２の期間を設け、その第２の期間ＩＮＴ２の期間において、走査線駆動回路１２から通常の選択電圧＋Ｖｓよりも大きい電圧レベルを有する初期選択電圧＋ＶＨを供給することで、液晶素子ＬＣＤの充電を早めることができる。その結果、ノイズ電圧Ｙ＊ｊの影響を極力抑えることができる。
【００５４】
以上のように、本実施形態によれば、選択電圧±Ｖｓの印加態様を従前と異ならしめるだけで、クロストークの発生を防止することが可能となる。ちなみに、このような作用効果は、表示パターンに応じてパルス幅を補正するなどという対処方法でも、同様に達成することが可能であるとも考えられるが、このような方法では、回路が複雑化し、コスト増を招き、かつ消費電力も増大することとなる。また、ハード面での対処方法としては、走査線Ｙ１〜Ｙｎ、走査線駆動回路１２及び両者を電気的に接続する引出配線Ｚ１〜Ｚｎ等を低抵抗な材料で構成することによって、微分回路としての作用を走査線Ｙ１〜Ｙｎに生じさせないようにすることも考えられるが、このような方法には自ずと限界があり、また、コスト増を招くこととなる。
【００５５】
本発明では、これらのような不都合を被ることなく、上述した作用効果を享受しうることにより、走査線Ｙ１〜Ｙｎ上に重畳されるスパイク状の微分波形の影響を受けることなく、高品質な画像を表示することが可能となるのである。
【００５６】
また、本実施形態においては、各画素２０には、薄膜ダイオードＴＦＤが備えられている。従って、例えば、薄膜トランジスタ（ＴＦＤ）を用いて構成されたものと比較して、配線間の短絡不良が原理的に発生しない点や、製造プロセスが簡略化される。
【００５７】
尚、特許請求の範囲に記載の電気光学装置は、本実施形態においては、液晶装置１０に対応している。また、特許請求の範囲に記載の二端子型スイッチング素子は、本実施形態においては、薄膜ダイオードＴＦＤに対応している。さらに、特許請求の範囲に記載の電気光学物質は、本実施形態においては、液晶２２ｃに対応している。また、特許請求の範囲に記載の容量は、本実施形態においては、液晶素子ＬＣＤに対応している。
【００５８】
前記実施形態の液晶装置によれば、以下のような特徴を得ることができる。
（１）  前記実施形態では、第１の期間ＩＮＴ１内において、各データ線Ｘ１〜Ｘｍにデータ電圧ＶｄをＬレベルからＨレベルへの立ち上がるようにした。このようにすることで、データ電圧ＶｄがＬレベルからＨレベルへの立ち上がるときに発生するノイズ電圧Ｙ＊ｊが選択電圧±Ｖｓの波形を変化させるのを回避することが可能となる。また、前記薄膜ダイオードＴＦＤに対しても前記ノイズ電圧Ｙ＊ｊの影響が及ばない。
【００５９】
従って、前記ノイズ電圧Ｙ＊ｊによるクロストークの発生を抑制することができる。この結果、画像の表示品位を向上させることができる。
（２）  前記実施形態では、駆動電圧形成回路１５は予め設定された第１の期間ＩＮＴ１だけ遅れた後、所定の第２の期間ＩＮＴ２にて通常の選択電圧＋Ｖｓよりも大きい電圧レベルを有する初期選択電圧＋ＶＨを走査線駆動回路１２へ供給するようにした。
【００６０】
従って、液晶素子ＬＣＤの充電を早めることができる。従って、第１の期間ＩＮＴ１を設けることで選択電圧±Ｖｓが印加されている期間が短くなってもデータ電圧Ｖｄを確実に充電することができる。また、ノイズ電圧Ｙ＊ｊの影響が液晶素子ＬＣＤへの書き込み量に影響を及ぼさないようにすることができるので、ノイズ電圧Ｙ＊ｊの影響を極力抑えることができる。
【００６１】
（３）  前記実施形態では、各画素２０には、そのスイッチ素子として薄膜ダイオードＴＦＤが備えられている。従って、例えば、薄膜トランジスタ（ＴＦＤ）を用いて構成されたものと比較して、配線間の短絡不良が原理的に発生しない点や、製造プロセスが簡略化される。
【００６２】
（４）  前記実施形態では、第１の期間ＩＮＴ１においては、いずれの走査線Ｙ１〜Ｙｎにも選択電圧±Ｖｓが印加されていないようにした。従って、他の走査線に乗る前記ノイズ電圧Ｙ＊ｊと選択電圧±Ｖｓとが互いに重畳されることで前記薄膜ダイオードＴＦＤがオンになるを回避することが可能となる。この結果、各画素２０はデータ信号ＶＤ１〜ＶＤｍに応じて駆動制御されるので、前記ノイズ電圧Ｙ＊ｊによるクロストークの発生の発生を抑制することができる。
（第２実施形態）
次に、第１実施形態で説明した電気光学装置としての液晶装置１０の電子機器の適用について図７に従って説明する。液晶装置１０は、モバイル型のパーソナルコンピュータ、携帯電話、デジタルカメラ等種々の電子機器に適用できる。
【００６３】
図８は、モバイル型パーソナルコンピュータの構成を示す斜視図を示す。図８において、パーソナルコンピュータ５０は、キーボード５１を備えた本体部５２と、前記液晶装置１０を用いた表示ユニット５３とを備えている。この場合においても、液晶装置１０を用いた表示ユニット５３は前記第１実施形態と同様な効果を発揮する。従って、表示品位の高い画像表示ができるパーソナルコンピュータ５０を提供できる。
【００６４】
なお、電子機器としては、これらの他、液晶テレビや、ビューファインダ型、モニタ直視型のビデオテープレコーダ、カーナビゲーションシステム、ページャ、電子手帳、電卓、ワードプロセッサ、ワークステーション、テレビ電話、ＰＯＳ端末、タッチパネルを備えた機器等が挙げられる。
【００６５】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその駆動方法並びに電子機器もまた、本発明の技術範囲に含まれるものである。
【００６６】
尚、発明の実施形態は、上記実施形態に限定されるものではなく、以下のように実施してもよい。
○上記実施形態では、液晶素子ＬＣＤを備えた液晶装置１０に具体化して好適な効果を得たが、液晶装置以外の例えばデジタルマイクロミラーデバイス（ＤＭＤ）を用いたディプレイ、電子放出素子を用いたディプレイ（ＦＥＤ）やＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）に具体化してもよい。
【図面の簡単な説明】
【００６７】
【図１】本発明の実施形態に係る液晶装置の電気的構成を示すブロック回路図である。
【図２】表示パネル部の回路構成を示すブロック回路図である。
【図３】画素の回路図である。
【図４】本実施形態に係る液晶装置の走査線駆動回路から出力されるｉ番目の走査線に出力される走査信号及び該走査線の次段の走査線に出力される走査信号のタイミングチャートである。
【図５】液晶装置の駆動方法を四値駆動法に適用した一例を示す走査信号及び該走査信号が供給される走査線に対応した位置に配置される画素に接続されたデータ線のデータ信号の波形である。
【図６】ｉ番目のデータ線に供給されるデータ信号及び該データ信号のデータ電圧がＬレベルからＨレベルへの立ち上がる時に対応するｊ番目の走査線に加わるノイズ電圧である。
【図７】（ａ）は、第２の期間を設けない場合の画素の液晶素子への印加電圧波形を模式的に示したものである。（ｂ）は、第２の期間を設け、該第２の期間内に選択電圧よりも高い電圧（初期選択電圧）を印加した場合の画素の液晶素子への印加電圧波形を模式的に示したものである。
【図８】第１実施形態に係る液晶装置を備えた電子機器の一例たるパーソナルコンピュータの構成を示す斜視図である。
【符号の説明】
【００６８】
ＩＮＴ１…第１の期間、ＩＮＴ２…第２の期間、ＬＣＤ…容量としての液晶素子、ＴＦＤ…二端子型スイッチング素子としての薄膜ダイオード、ＶＤ１〜ＶＤｍ…データ信号、±Ｖｓ…選択電圧、Ｘ１〜Ｘｍ…データ線、Ｙ１〜Ｙｎ…走査線、１０…電気光学装置としての液晶装置、１２…走査線駆動回路、１３…データ線駆動回路、２０…画素、２２ａ…画素電極、２２ｃ…電気光学物質としての液晶、６０…電子機器としての携帯電話。
【図１】
2005084509.tif 000003
【図２】
2005084509.tif 000004
【図３】
2005084509.tif 000005
【図４】
2005084509.tif 000006
【図５】
2005084509.tif 000007
【図６】
2005084509.tif 000008
【図７】
2005084509.tif 000009
【図８】
2005084509.tif 000010